(57)【特許請求の範囲】
【請求項１】
周壁にアンカー挿入用の開口部を設けた両側の筒状把持部と、それらの両側の筒状把持部に両端部が一体的に連設され、かつそれぞれの中間部が径方向外側へ膨出された複数の間隔保持片とからなり、前記筒状把持部に設けた開口部を介してアンカーに対して側方から装着し得るように構成したアンカー用スペーサにおいて、両側の筒状把持部に形成された前記開口部の縁部に沿って案内片部を折曲げ形成するとともに、一方の筒状把持部に形成された前記開口部の両側の縁部間を内側から外側へ向けて幅を広げたテーパ状に形成し、かつ他方の筒状把持部に形成された前記開口部の両側の縁部間を外側から内側へ向けて幅を広げたテーパ状に形成したことを特徴とするアンカー用スペーサ。
【発明の詳細な説明】
【技術分野】
【０００１】
本発明は、例えばロックボルト等のアンカーを地盤に設置する場合に、アンカーに装着した状態で共にアンカーの設置孔に挿入し、その設置孔の内壁に当接してアンカーの位置を保持するためのアンカー用スペーサに関する。
【背景技術】
【０００２】
従来からロックボルトやグラウンドアンカーなどの各種のアンカーが地盤安定化の手段として広く知られている。これらのアンカーは、アンカーの設置孔（削孔）に挿入した上、その周囲に適宜のグラウト材を充填することにより地盤に定着される。この定着作業においては、それらグラウト材の被り厚を適正に確保することが重要であり、このためアンカーを設置孔の内壁から離間して保持するアンカー用スペーサが一般的に使用されている。
【０００３】
斯かるアンカー用スペーサに関し、本出願人は、周壁にアンカー挿入用の開口部を設けた両側の筒状把持部と、それらの両側の筒状把持部に両端部が一体的に連設され、かつそれぞれの中間部が径方向外側へ膨出された複数の間隔保持片とからなり、前記筒状把持部に設けた開口部を介してアンカーに対して側方から装着し得るように構成したアンカー用スペーサを開発している（特許文献１）。
【特許文献１】特開２００４−３３２２６１号公報
【０００４】
本出願人において開発した前記アンカー用スペーサは、アンカーに対する装着がきわめて簡便なことから、その作業性が大幅に向上された。ところで、この両側の筒状把持部の周壁に形成したアンカー挿入用の開口部を拡開してアンカーに側方から装着する方式を採用した場合には、その装着時に両側の筒状把持部のバネ力に抗して開口部を拡開する必要があることから、その筒状把持部のバネ力に基づく把持力をあまり大きく設定すると、装着時の操作性が低下するという問題があった。他方、逆に筒状把持部の把持力をあまり小さく設定すると、アンカーに対する装着時の操作性は向上できるものの、アンカーに対する装着力が低下して設置孔に挿入する際などにアンカーから脱落しやすくなるといった問題があった。
【発明の開示】
【発明が解決しようとする課題】
【０００５】
本発明は、以上のような従来の技術的状況に鑑み、アンカーに対する側方からの装着時の操作性を改善し、その装着時の操作性を低下することなく、筒状把持部の把持力をより大きく設定することが可能で、アンカーに対する装着力を強化して設置孔に挿入する際などのアンカーからの脱落を防止し得る、使い勝手のきわめてよい実用的なアンカー用スペーサを提供することを目的とする。
【課題を解決するための手段】
【０００６】
本発明では、前記課題を解決するため、周壁にアンカー挿入用の開口部を設けた両側の筒状把持部と、それらの両側の筒状把持部に両端部が一体的に連設され、かつそれぞれの中間部が径方向外側へ膨出された複数の間隔保持片とからなり、前記筒状把持部に設けた開口部を介してアンカーに対して側方から装着し得るように構成したアンカー用スペーサにおいて、両側の筒状把持部に形成された前記開口部の縁部に沿って案内片部を折曲げ形成するとともに、一方の筒状把持部に形成された前記開口部の両側の縁部間を内側から外側へ向けて幅を広げたテーパ状に形成し、かつ他方の筒状把持部に形成された前記開口部の両側の縁部間を外側から内側へ向けて幅を広げたテーパ状に形成するという技術手段を採用した。すなわち、本発明では、一方の筒状把持部に形成する開口部の両側の縁部間を内側から外側へ向けて幅を広げたテーパ状に形成するとともに、他方の筒状把持部に形成する開口部の両側の縁部間は逆に外側から内側へ向けて幅を広げたテーパ状に形成するという、両側の筒状把持部に形成する開口部の縁部間に形成されるテーパの向きに関する固有の組合わせを採用した。
【発明の効果】
【０００７】
本発明に係るアンカー用スペーサによれば、両側の筒状把持部に形成された前記開口部の縁部に沿って案内片部を折曲げ形成するとともに、一方の筒状把持部に形成された前記開口部の両側の縁部間を内側から外側へ向けて幅を広げたテーパ状に形成し、かつ他方の筒状把持部に形成された前記開口部の両側の縁部間を外側から内側へ向けて幅を広げたテーパ状に形成するという技術手段を採用したので、アンカーへの装着に際しては、一方の筒状把持部に形成した開口部の縁部間の幅の広い外側の端部から内側へ向けてテーパに沿って拡開を進めることにより、一方の筒状把持部をアンカーに対して円滑に装着することが可能であるとともに、他方の筒状把持部を前記アンカーに装着する際には、その他方の筒状把持部に形成した開口部の縁部間の幅の広い内側の端部から外側へ向けてテーパに沿って拡開を進めることにより、他方の筒状把持部についても円滑にアンカーに装着することができる。すなわち、以上のように、一方の筒状把持部に形成する開口部の両側の縁部間を内側から外側へ向けて幅を広げたテーパ状に形成するとともに、他方の筒状把持部に形成する開口部の両側の縁部間は逆に外側から内側へ向けて幅を広げたテーパ状に形成するという、両側の筒状把持部に形成する開口部の縁部間に形成されるテーパの向きに関する固有の組合わせを採用したので、双方の筒状把持部をアンカーに対して共により円滑に装着することが可能となり、延いてはより小さな押圧力によって装着することが可能になる。したがって、装着時の操作性を維持しながら、筒状把持部の把持力をより大きく設定することができ、アンカーに対する装着力を強化して設置孔に挿入する際などのアンカーからの脱落を防止し得る、使い勝手のきわめてよい実用的なアンカー用スペーサを提供することができる。
【発明を実施するための最良の形態】
【０００８】
本発明に係るアンカー用スペーサは、ロックボルトやグラウンドアンカーなどの各種アンカーを設置用の孔に挿入した際の位置保持用のスペーサとして広く適用することが可能である。本発明に係るアンカー用スペーサは、両側の筒状把持部を介して両端部がアンカーに的確に固着される。しかも、本発明に係るアンカー用スペーサの場合には、前述のようにアンカーに対するより円滑な装着が可能であり、より小さな押圧力によって装着することが可能なことから、装着時の操作性を害することなく、両側の筒状把持部の把持力を強化することが可能である。したがって、装着時の操作性を維持しながらアンカーから脱落しにくいより安定した装着状態が得られる。斯かる筒状把持部の形状としては、略円形状断面のものや略楕円形状断面のものなどが使用可能である。筒状把持部に形成された前記開口部の両側の縁部間の形状に関しては、以下の実施例のように、一方の筒状把持部の開口部の縁部間を内側から外側へ向けて幅を広げたテーパ状に形成するとともに、他方の筒状把持部の開口部の縁部間は逆に外側から内側に向けて幅を広げたテーパ状に形成される。なお、筒状把持部の把持力の強化は、その筒状把持部の具体的形状や弾性特性などに関する選定により可能である。因みに、両側の筒状把持部の間に形成される間隔保持片の設置数に関しては、３個以上あれば格段の限定はないが、４個が一般的である。
【実施例１】
【０００９】
図１〜図５は本発明に係るアンカー用スペーサの一実施例を示したものであり、それぞれ図１は正面図、図２は側面図、図３は背面図、図４は平面図、図５は底面図である。図示のように、アンカー用スペーサ１は、両側の筒状把持部２，３と、それらの筒状把持部２，３間に一体的に連設された複数の間隔保持片４とから構成される。それらの両側の筒状把持部２，３及び各間隔保持片４はバネ鋼材などの弾性変形に富む素材から形成され、そのバネ力に基づいてアンカーに対する把持力を確保するように構成している。筒状把持部２，３は、それぞれ略円形状断面に形成され、その周壁の一部が軸心方向に沿って開口され、アンカーの挿入部を構成している。図中、５，６はその筒状把持部２，３の開口部を示したものであり、図１のように一方の筒状把持部２の開口部５の両側の縁部７，８を軸方向に沿って内側から外側へ向けて幅を広げたテーパ状に形成するとともに、他方の筒状把持部３の開口部６の両側の縁部９，１０を逆に外側から内側へ向けて幅を広げたテーパ状に形成している。また、それらの開口部５，６の両側の縁部７〜１０に沿ってそれぞれ案内片部１１〜１４を折曲げ形成し、装着時にアンカーを開口部５，６を介して内部へ案内するように構成している。さらに、本実施例では、図３に示したように、一方の筒状把持部３にアンカーに対する係止手段としてアンカーの外周面に形成されたネジ節などの凸部が嵌入して軸方向のずれを阻止し得る細溝状開口部１５，１６を形成している。なお、筒状把持部２の内径はアンカーの外径より少し大きく設定し、装着状態においてアンカーとの間で相対移動可能に構成している。
【００１０】
図６は前記アンカー用スペーサ１をアンカー１７に装着する際の途中の状態を示した説明図である。本実施例に係るアンカー用スペーサ１をアンカー１７に装着する場合には、図示のように、前記開口部５の両側の縁部７，８が内側から外側へ向けて幅を広げたテーパ状に形成された筒状把持部２の方から装着する。この筒状把持部２のアンカー１７に対する側方からの装着に際しては、筒状把持部２の案内片部１１，１２をアンカー１７の外周面に当接させた状態で、例えば矢印Ｐで示したように若干傾斜した方向から押込むことにより、円滑かつ容易に装着することができる。すなわち、アンカー１７に対して筒状把持部２の案内片部１１，１２を例えば矢印Ｐの方向から押し当てると、最初に開口部５の両側の縁部７，８の間の幅が大きい案内片部１１，１２の外側端部がアンカー１７の外周面に当接する。さらに押込むと、そのアンカー１７と案内片部１１，１２との当接位置が内側に移動しながら、開口部５の両側の縁部７，８間が円滑に拡開されることから、アンカー１７に対して側方から容易に装着することができる。因みに、図７に示したように、従来のアンカー用スペーサ１８は、両側の筒状把持部１９，２０の開口部２１，２２の縁部２３〜２６が平行に形成されていたため、アンカーに対する側方からの装着に際して、それらの両側の縁部２３，２４又は２５，２６の全長がアンカーの外周面に対して同時に当接することから抵抗力も大きく、本実施例に比べてより大きな押込み力が必要とされた。
【００１１】
次に、図６に示した状態から他方の筒状把持部３をアンカー１７に装着する場合について説明する。前述のように、本実施例の筒状把持部３の開口部６の両側の縁部９，１０は外側から内側へ向けて幅を広げたテーパ状に形成されているので、図６の状態から筒状把持部３をアンカー１７に装着済みの筒状把持部２を中心に回動すれば、縁部９，１０間の幅の広い案内片部１３，１４の内側端部からアンカー１７の外周面に対する当接が開始さる。さらに押込むことにより、そのアンカー１７と案内片部１３，１４との当接位置が外側に移動しながら、開口部６の両側の縁部９，１０間が円滑に拡開されることから、アンカー１７に対して側方から容易に装着することができる。以上のように、本発明によれば、一方の筒状把持部２に形成する開口部５の両側の縁部７，８間を内側から外側へ向けて幅を広げたテーパ状に形成するとともに、他方の筒状把持部３に形成する開口部６の両側の縁部９，１０間は逆に外側から内側へ向けて幅を広げたテーパ状に形成するという、両側の筒状把持部２，３に形成する開口部５，６の縁部間に形成されるテーパの向きに関する固有の組合わせを採用したことから、双方の筒状把持部２，３をアンカー１７に対して共により円滑に装着することが可能となり、延いてはより小さな押圧力によって装着することが可能になる。
【図面の簡単な説明】
【００１２】
【図１】本発明の実施例を示した正面図である。
【図２】同実施例を示した側面図である。
【図３】同実施例を示した背面図である。
【図４】同実施例を示した平面図である。
【図５】同実施例を示した底面図である。
【図６】アンカー用スペーサをアンカーに装着する際の途中の状態を示した説明図である。
【図７】従来例を示した正面図である。
【符号の説明】
【００１３】
１…アンカー用スペーサ、２，３…筒状把持部、４…間隔保持片、５，６…開口部、７〜１０…縁部、１１〜１４…案内片部、１５，１６…細溝状開口部、１７…アンカー
【図１】
0004373323.tif 000002
【図２】
0004373323.tif 000003
【図３】
0004373323.tif 000004
【図４】
0004373323.tif 000005
【図５】
0004373323.tif 000006
【図６】
0004373323.tif 000007
【図７】
0004373323.tif 000008